(57)【要約】【課題】記録媒体に現像剤像を転写する転写工程において、現像剤の飛散を抑制する。【解決手段】像保持体１６と、像保持体１６の表面を帯電する帯電装置１８と、帯電装置１８によって帯電された像保持体１６の表面を露光し、その表面に静電潜像を形成する露光装置２０と、露光装置２０により形成された静電潜像を現像剤により現像する現像装置２２と、現像装置２２により現像され、像保持体１６の表面に保持された現像剤像が転写される中間転写体２４と、中間転写体２４に転写された現像剤像を搬送装置４２によって搬送された記録媒体Ｐに転写位置Ｔ２にて転写する転写装置３６と、転写位置Ｔ２に到達する以前の記録媒体Ｐの裏面全体に補助媒体Ｈを重ね合わせるように供給する供給装置６０と、を備えた画像形成装置１０とする。【選択図】図１
2013195830.tif 000002
【特許請求の範囲】
【請求項１】
像保持体と、
前記像保持体に保持された現像剤像を搬送装置によって搬送された記録媒体に転写位置にて転写する転写装置と、
前記転写位置に到達する以前の前記記録媒体の裏面全体に補助媒体を重ね合わせるように供給する供給装置と、
を備えたことを特徴とする画像形成装置。
【請求項２】
像保持体と、
前記像保持体の表面を帯電する帯電装置と、
前記帯電装置によって帯電された前記像保持体の表面を露光し、該表面に静電潜像を形成する露光装置と、
前記露光装置により形成された静電潜像を現像剤により現像する現像装置と、
前記現像装置により現像され、前記像保持体の表面に保持された現像剤像が転写される中間転写体と、
前記中間転写体に転写された現像剤像を搬送装置によって搬送された記録媒体に転写位置にて転写する転写装置と、
前記転写位置に到達する以前の前記記録媒体の裏面全体に補助媒体を重ね合わせるように供給する供給装置と、
を備えたことを特徴とする画像形成装置。
【請求項３】
前記供給装置は、供給した前記補助媒体を回収し、回収した前記補助媒体を前記転写位置に到達する以前の前記記録媒体に対して再供給可能とする回収部を備えていることを特徴とする請求項１又は請求項２に記載の画像形成装置。
【請求項４】
重ね合わされて前記転写位置を通過した前記記録媒体及び前記補助媒体を搬送する一対の搬送ロールを備えるとともに、
前記一対の搬送ロールのうち、前記補助媒体に接触する搬送ロールは、前記記録媒体に接触する搬送ロールの回転方向と同方向に一時的に回転する構成とされていることを特徴とする請求項１〜請求項３の何れか１項に記載の画像形成装置。
【発明の詳細な説明】
【技術分野】
【０００１】
本発明は、画像形成装置に関する。
【背景技術】
【０００２】
第１の給紙部から第１の用紙を給紙し、給紙された第１の用紙の後端部に一定の長さ重なるタイミングで、第２の給紙部から第２の用紙を給紙し、１つの画像を２枚の用紙に連続して形成する用紙重送式画像形成装置は、従来から知られている（例えば、特許文献１参照）。
【先行技術文献】
【特許文献】
【０００３】
【特許文献１】特開昭６２−６５０５５号公報
【発明の概要】
【発明が解決しようとする課題】
【０００４】
本発明は、記録媒体に現像剤像を転写する転写工程において、現像剤の飛散を抑制する画像形成装置を得ることを目的とする。
【課題を解決するための手段】
【０００５】
上記の目的を達成するために、本発明に係る請求項１に記載の画像形成装置は、像保持体と、前記像保持体に保持された現像剤像を搬送装置によって搬送された記録媒体に転写位置にて転写する転写装置と、前記転写位置に到達する以前の前記記録媒体の裏面全体に補助媒体を重ね合わせるように供給する供給装置と、を備えたことを特徴としている。
【０００６】
また、本発明に係る請求項２に記載の画像形成装置は、像保持体と、前記像保持体の表面を帯電する帯電装置と、前記帯電装置によって帯電された前記像保持体の表面を露光し、該表面に静電潜像を形成する露光装置と、前記露光装置により形成された静電潜像を現像剤により現像する現像装置と、前記現像装置により現像され、前記像保持体の表面に保持された現像剤像が転写される中間転写体と、前記中間転写体に転写された現像剤像を搬送装置によって搬送された記録媒体に転写位置にて転写する転写装置と、前記転写位置に到達する以前の前記記録媒体の裏面全体に補助媒体を重ね合わせるように供給する供給装置と、を備えたことを特徴としている。
【０００７】
また、請求項３に記載の画像形成装置は、請求項１又は請求項２に記載の画像形成装置であって、前記供給装置は、供給した前記補助媒体を回収し、回収した前記補助媒体を前記転写位置に到達する以前の前記記録媒体に対して再供給可能とする回収部を備えていることを特徴としている。
【０００８】
また、請求項４に記載の画像形成装置は、請求項１〜請求項３の何れか１項に記載の画像形成装置であって、重ね合わされて前記転写位置を通過した前記記録媒体及び前記補助媒体を搬送する一対の搬送ロールを備えるとともに、前記一対の搬送ロールのうち、前記補助媒体に接触する搬送ロールは、前記記録媒体に接触する搬送ロールの回転方向と同方向に一時的に回転する構成とされていることを特徴としている。
【発明の効果】
【０００９】
請求項１に記載の発明によれば、転写位置に到達する以前の記録媒体の裏面全体に補助媒体を重ね合わせるように供給する供給装置を備えていない構成に比べて、記録媒体に現像剤像を転写する転写工程において、現像剤の飛散を抑制することができる。
【００１０】
請求項２に記載の発明によれば、転写位置に到達する以前の記録媒体の裏面全体に補助媒体を重ね合わせるように供給する供給装置を備えていない構成に比べて、中間転写体から記録媒体に現像剤像を転写する転写工程において、現像剤の飛散を抑制することができる。
【００１１】
請求項３に記載の発明によれば、供給装置が、供給した補助媒体を回収し、回収した補助媒体を転写位置に到達する以前の記録媒体に対して再供給可能とする回収部を備えていない構成に比べて、補助媒体を再利用することができる。
【００１２】
請求項４に記載の発明によれば、転写位置を通過した補助媒体に接触する搬送ロールが、転写位置を通過した記録媒体に接触する搬送ロールの回転方向と同方向に一時的に回転する構成とされていない場合に比べて、転写位置を通過した記録媒体からの補助媒体の剥離不良を抑制することができる。
【図面の簡単な説明】
【００１３】
【図１】本実施形態に係る画像形成装置を示す概略構成図
【図２】第１実施形態に係る供給装置の構成を模式的に示す概略側面図
【図３】第２実施形態に係る供給装置の構成を模式的に示す概略側面図
【発明を実施するための形態】
【００１４】
以下、本発明の実施の形態について、図面を基に詳細に説明する。なお、以下の説明において、画像が形成される記録媒体は、一例として記録用紙Ｐを採用し、記録媒体に重ね合わせる補助媒体は、一例として補助用紙Ｈとする。また、記録用紙Ｐ及び補助用紙Ｈの搬送方向上流側を単に「上流側」、記録用紙Ｐ及び補助用紙Ｈの搬送方向下流側を単に「下流側」という場合がある。
【００１５】
まず、本実施形態に係る画像形成装置１０の構成について簡単に説明する。なお、各色に共通する部位については、符号の後に各色を示す英字を付さずに説明する。図１で示すように、この画像形成装置１０は、入力された画像データに基づく各色のトナー（現像剤）像を、後述する無端ベルト状の中間転写ベルト２４に転写し、フルカラーの画像を形成する４連タンデム方式の画像形成手段１２を有している。
【００１６】
画像形成手段１２は、記録用紙Ｐの搬送方向上流側から順にイエロー（Ｙ）、マゼンタ（Ｍ）、シアン（Ｃ）、ブラック（Ｋ）の各色の画像を出力する電子写真方式の画像形成ユニット１４Ｙ、１４Ｍ、１４Ｃ、１４Ｋを有しており、各画像形成ユニット１４Ｙ〜１４Ｋは、中間転写ベルト２４の移動方向（矢印Ｂで示す）に沿って、互いに予め決められた間隔を有して並設されている。
【００１７】
各画像形成ユニット１４Ｙ〜１４Ｋは、像保持体の一例としての感光体ドラム１６Ｙ〜１６Ｋを有しており、この感光体ドラム１６Ｙ〜１６Ｋは、導電性の金属製円筒体の表面（周面）に、有機光導電体等からなる感光層が積層されて構成され、図示の矢印Ａ方向（時計回り方向）へ予め決められたプロセススピードで回転駆動するようになっている。
【００１８】
なお、この感光層は、電荷発生層と電荷輸送層が順次積層された機能分離型であり、通常は高抵抗であるが、レーザー光線が照射されると、レーザー光線が照射された部分の比抵抗が変化する性質を有している。また、各感光体ドラム１６Ｙ〜１６Ｋの直径は、２０ｍｍ〜１００ｍｍの範囲とされることが望ましい。
【００１９】
各感光体ドラム１６Ｙ〜１６Ｋの周囲には、その回転方向上流側から順に、感光体ドラム１６の表面を予め決められた電位に一様に帯電する帯電装置１８Ｙ〜１８Ｋと、一様に帯電された感光体ドラム１６Ｙ〜１６Ｋの表面に、色分解された画像データ（画像信号）に基づくレーザー光線（像光）を照射し、露光によって静電潜像を形成する露光装置２０Ｙ〜２０Ｋと、帯電したトナーを静電潜像に転移させて（現像して）トナー像とする現像装置２２Ｙ〜２２Ｋと、感光体ドラム１６Ｙ〜１６Ｋに接触する経路で周回可能に張架された無端ベルト状の中間転写ベルト２４と、感光体ドラム１６Ｙ〜１６Ｋ上に形成されたトナー像を中間転写ベルト２４へ転写する一次転写ロール２６Ｙ〜２６Ｋと、一次転写後に感光体ドラム１６Ｙ〜１６Ｋの表面に残留した転写残トナーを除去する清掃装置２８Ｙ〜２８Ｋと、が配設されている。
【００２０】
各清掃装置２８Ｙ〜２８Ｋには、感光体ドラム１６Ｙ〜１６Ｋの表面（周面）に弾性変形して接触（圧接）し、感光体ドラム１６Ｙ〜１６Ｋから転写残トナーを擦り取る（掻き取る）清掃部材３０Ｙ〜３０Ｋが設けられている。
【００２１】
また、各一次転写ロール２６Ｙ〜２６Ｋは、中間転写ベルト２４の内側で、かつ各感光体ドラム１６Ｙ〜１６Ｋにそれぞれ対向した位置に設けられている。そして、一次転写ロール２６Ｙ〜２６Ｋによる感光体ドラム１６Ｙ〜１６Ｋと中間転写ベルト２４との接触部が一次転写部（以下「一次転写位置」という）Ｔ１とされている。
【００２２】
また、各一次転写ロール２６Ｙ〜２６Ｋには、一次転写バイアスを印加するバイアス電源（図示省略）がそれぞれ接続されている。各バイアス電源は、制御部（図示省略）により制御されて、各一次転写ロール２６Ｙ〜２６Ｋに印加する一次転写バイアスが変更可能になっている。なお、図示の帯電装置１８Ｙ〜１８Ｋは、ロール形状の接触型帯電器とされているが、スコロトロンや固体放電器等の非接触型帯電器を用いることも可能である。
【００２３】
一方、中間転写体の一例としての中間転写ベルト２４は、一次転写ロール２６Ｙ〜２６Ｋと、図示しない駆動源により回転駆動される駆動ロール３２と、従動ロール３３と、後述する二次転写部（以下「二次転写位置」という）Ｔ２に配置されたバックアップロール３４と、に巻き掛けられており、感光体ドラム１６の回転に同期して矢印Ｂ方向に回転移動（周動）するようになっている。
【００２４】
なお、この中間転写ベルト２４は、例えば、ポリイミド、ポリアミドイミド、ポリカーボネート、フッ素系樹脂などの樹脂材料に、カーボンやイオン導電物質などの導電性付与のための物質を分散させ、表面抵抗率を１０１０Ω／□〜１０１２Ω／□程度（測定電圧：１００Ｖ）に調整して形成されている。
【００２５】
また、中間転写ベルト２４を挟んでバックアップロール３４と対向する位置には、後述する搬送装置４２によって搬送される記録用紙Ｐ上に、中間転写ベルト２４上のトナー像を転写する転写装置（二次転写部材）の一例としての二次転写ロール３６が設けられている。この二次転写ロール３６と中間転写ベルト２４との接触部（ニップ部）が二次転写位置Ｔ２とされている。
【００２６】
また、この画像形成装置１０は、二次転写ロール３６によって記録用紙Ｐ上にトナー像を転写した後に、中間転写ベルト２４上に残留する転写残トナーを除去するトナー除去装置３８と、二次転写ロール３６によって記録用紙Ｐ上に転写されたトナー像を定着する定着装置４０と、を備えている。
【００２７】
搬送装置４２は、給紙部４４に収容された記録用紙Ｐを１枚ずつ搬送するピックアップロール４６と、二次転写ロール３６よりも上流側の搬送経路に設けられた複数のガイド部材５０及び一対の搬送ロール４８と、二次転写ロール３６よりも下流側で、かつ定着装置４０よりも上流側の搬送経路に設けられた複数の一対の搬送ロール５２、５４、５６と、定着装置４０の下流側に設けられた一対の排紙ロール５８と、排紙部（図示省略）と、を含んで構成されている。
【００２８】
この搬送装置４２により、給紙部４４に収容された記録用紙Ｐが、二次転写ロール３６とバックアップロール３４と、が中間転写ベルト２４を挟んで対向する二次転写位置Ｔ２へ搬送され、二次転写位置Ｔ２から定着装置４０へ搬送され、定着装置４０から排紙部へ搬送される構成になっている。なお、一対の搬送ロール５６は、後述する供給装置６０の構成要素でもある。
【００２９】
以上のような構成の画像形成装置１０は、次のように動作してフルカラーの画像を形成するようになっている。なお、各色の画像形成ユニット１４Ｙ〜１４Ｋは、略同一の構成を有しているため、ここでは画像形成ユニット１４Ｙにより、イエロートナー像を形成する動作について説明する。
【００３０】
まず、帯電装置１８Ｙによって感光体ドラム１６Ｙの表面が−６００Ｖ〜−８００Ｖ程度の電位に一様に帯電される。一様に帯電された感光体ドラム１６Ｙの表面には、制御部から送られて来るイエロー用の画像データに従って、露光装置２０Ｙによりレーザー光線が照射される。すなわち、感光体ドラム１６Ｙの感光層にイエロー印字パターンの静電潜像が形成される。
【００３１】
なお、静電潜像とは、帯電により感光体ドラム１６Ｙの表面（感光層）に形成される像であり、感光層において、レーザー光線が照射された部分の比抵抗が低下し、感光体ドラム１６Ｙの表面に帯電した電荷が流れる一方、レーザー光線が照射されなかった部分の電荷が残留することによって形成される、いわゆる「ネガ潜像」である。
【００３２】
こうして、感光体ドラム１６Ｙ上に形成された静電潜像は、感光体ドラム１６Ｙの回転により予め決められた現像位置まで搬送される。そして、この現像位置で、感光体ドラム１６Ｙ上の静電潜像が、現像装置２２Ｙによって可視像（トナー像）化される。現像装置２２Ｙ内には、例えば、少なくともイエロー着色剤と結着樹脂とを含む体積平均粒子径が３μｍ〜６μｍの範囲のイエロートナーが収容されている。
【００３３】
イエロートナーは、現像装置２２Ｙの内部で撹拌されることで摩擦帯電し、感光体ドラム１６Ｙの表面の帯電荷と同極性（−）の電荷を有している。したがって、感光体ドラム１６Ｙの表面が現像装置２２Ｙを通過して行くことにより、感光体ドラム１６Ｙの表面の除電された潜像部にのみイエロートナーが静電的に付着し、潜像がイエロートナーによって現像される。その後、感光体ドラム１６Ｙは、引き続き回転し、その表面に現像されたトナー像が、一次転写位置Ｔ１へ搬送される。
【００３４】
感光体ドラム１６Ｙの表面のイエロートナー像が一次転写位置Ｔ１へ搬送されると、一次転写ロール２６Ｙに予め決められた一次転写バイアスが印加され、感光体ドラム１６Ｙから一次転写ロール２６Ｙに向かう静電気力がトナー像に作用し、感光体ドラム１６Ｙの表面のトナー像が中間転写ベルト２４の表面に転写される。このとき印加される一次転写バイアスは、トナーの極性（−）と逆の極性（＋）であり、例えば、画像形成ユニット１４Ｙでは、制御部によって＋２０μＡ〜＋３０μＡ程度に定電流制御されている。
【００３５】
なお、感光体ドラム１６Ｙの表面の転写残トナーは、清掃装置２８Ｙにより清掃される。また、画像形成ユニット１４Ｍ〜１４Ｋの一次転写ロール２６Ｍ〜２６Ｋに印加される一次転写バイアスも、上記と同様に制御部によって制御され、画像形成ユニット１４Ｙにてイエロートナー像が転写された中間転写ベルト２４は、残りの色の画像形成ユニット１４Ｍ〜１４Ｋへ順次搬送されて、各色のトナー像が重ねられるように転写される（多重転写される）。
【００３６】
各画像形成ユニット１４Ｙ〜１４Ｋを通過して全ての色のトナー像が多重転写された中間転写ベルト２４は、図示の矢印Ｂ方向に周動搬送され、中間転写ベルト２４の内面（裏面）に接するバックアップロール３４と、中間転写ベルト２４の像保持面側に配置された二次転写ロール３６とで構成された二次転写位置Ｔ２へ至る。
【００３７】
一方、記録用紙Ｐが、搬送装置４２によって二次転写ロール３６と中間転写ベルト２４との間に予め決められたタイミングで給紙され、予め決められた二次転写バイアスが二次転写ロール３６に印加される。このとき印加される二次転写バイアスは、トナーの極性（−）と逆の極性（＋）であり、中間転写ベルト２４から記録用紙Ｐに向かう静電気力がトナー像に作用し、中間転写ベルト２４の表面のトナー像が記録用紙Ｐの表面に転写される。
【００３８】
また、このときの二次転写バイアスは、二次転写位置Ｔ２の抵抗を検出する抵抗検出手段（図示省略）により検出された抵抗に応じて決定され、定電圧となるように制御部によって制御されている。その後、記録用紙Ｐは定着装置４０へと送り込まれ、トナー像が加熱・加圧され、色重ねされた（多重転写された）トナー像が溶融されて、記録用紙Ｐの表面へ永久定着される。こうして、フルカラー画像の定着が完了した記録用紙Ｐは、排紙部へ向けて搬出され、一連のフルカラー画像形成動作が終了する。
【００３９】
ところで、画像形成装置１０が設置された空間の湿度が高いときには、中間転写ベルト２４に一次転写される画像の帯電量が低くなる（トナーの吸着力が弱くなる）場合がある。この場合、二次転写位置Ｔ２の出口側において、転写電界が搬送経路の下流側へ（記録用紙Ｐの画像形成面である表面に沿って）沿面放電すると、その放電方向へ低帯電トナーが飛散する（いわゆる陽炎が発生する）おそれがある。
【００４０】
また、記録用紙Ｐが坪量の小さい薄紙のときには、その電気抵抗が小さくなるため、二次転写位置Ｔ２の出口側において、転写電界が強く作用し、搬送経路の下流側へ（記録用紙Ｐの画像形成面である表面に沿って）沿面放電し易くなって、帯電トナーが飛散し易くなる。この場合、転写電界を下げて対応することも可能であるが、記録用紙Ｐが普通紙や厚紙のときには、充分な転写効率が得られなくなる。
【００４１】
そこで、この画像形成装置１０では、一例として、中間転写ベルト２４から記録用紙Ｐにトナー像を転写する二次転写工程において、即ち記録用紙Ｐが二次転写位置Ｔ２に到達する以前において、その記録用紙Ｐに重ね合わせる補助用紙Ｈを供給し、二次転写位置Ｔ２を通過する際の用紙厚さを増加させて、沿面放電を弱めるようにしている。
【００４２】
以下、その補助用紙Ｈを供給する供給装置６０について説明する。なお、補助用紙Ｈは、一例として、記録用紙Ｐと同じ大きさの普通紙か、又は記録用紙Ｐよりも少し大きい普通紙を使用することが可能である。まず、第１実施形態について説明する。
【００４３】
図１、図２で示すように、この供給装置６０は、補助用紙Ｈが格納された格納部６２と、格納部６２内に格納された補助用紙Ｈを１枚ずつ搬送するピックアップロール６４と、二次転写ロール３６よりも上流側の補助用紙Ｈの搬送経路に設けられたガイド部材６６及び一対の搬送ロール６８と、二次転写ロール３６よりも下流側で、かつ搬送ロール５４の下流側に設けられた一対の搬送ロール５６と、一対の搬送ロール５６よりも下流側の補助用紙Ｈの搬送経路に設けられたガイド部材６７と、そのガイド部材６７によって案内された補助用紙Ｈを回収する回収部７０と、を含んで構成されている。
【００４４】
そして、ピックアップロール６４及び搬送ロール６８は、記録用紙Ｐが二次転写位置Ｔ２に到達するタイミングに合わせて、補助用紙Ｈを二次転写位置Ｔ２へ到達させるように制御部によって制御されている。これにより、記録用紙Ｐと補助用紙Ｈは、中間転写ベルト２４と二次転写ロール３６との接触部に同時に進入し、その接触部を通過することによって、補助用紙Ｈが記録用紙Ｐの裏面（非画像形成面）に重ね合わされる構成になっている。
【００４５】
また、一対の搬送ロール５６のうち、補助用紙Ｈに接触する下側（記録用紙Ｐの裏面側）の搬送ロール５６Ａは、予め決められたタイミングで、それを駆動するモーター（図示省略）の回転方向が、記録用紙Ｐに接触する上側（記録用紙Ｐの表面側）の搬送ロール５６Ｂの回転方向と同方向に一時的に回転するように制御部によって制御されている。
【００４６】
つまり、上下一対の搬送ロール５２、５４、５６は、互いに逆方向に回転することによって、記録用紙Ｐ及び補助用紙Ｈを挟持搬送するようになっている。したがって、補助用紙Ｈ側の搬送ロール５６Ａが、記録用紙Ｐ側の搬送ロール５６Ｂと同方向に一時的に回転させられると、補助用紙Ｈは記録用紙Ｐの裏面からずれるように移動することになるため、その裏面から剥離される。このように、搬送ロール５６Ａは、記録用紙Ｐから補助用紙Ｈを剥離する剥離ロールとしても機能するようになっている。
【００４７】
以上のような構成の供給装置６０において、次にその作用について説明する。
【００４８】
例えば記録用紙Ｐが坪量の小さい薄紙のときには、画像形成装置１０の操作パネル（図示省略）を操作して、供給装置６０を作動させるモードとする。つまり、この画像形成装置１０は、通常時（記録用紙Ｐが普通紙や厚紙のとき）には、供給装置６０を作動させないモードになっている。これにより、中間転写ベルト２４及び二次転写ロール３６のライフが短くなるのを抑制している。
【００４９】
画像形成装置１０において、供給装置６０を作動させるモードにすると、記録用紙Ｐが二次転写位置Ｔ２へ送られるタイミングに合わせて、補助用紙Ｈが二次転写位置Ｔ２へ送られる。すなわち、格納部６２内の補助用紙Ｈが１枚、ピックアップロール６４によって取り出され、ガイド部材６６及び搬送ロール６８によって二次転写位置Ｔ２へ送られる。
【００５０】
すると、その補助用紙Ｈは、その二次転写位置Ｔ２にて、記録用紙Ｐの裏面に全体的に重ね合わされつつ、二次転写位置Ｔ２を通過する（記録用紙Ｐと補助用紙Ｈとが接触部を重送される）。したがって、その二次転写位置Ｔ２の出口側において、記録用紙Ｐ及び補助用紙Ｈによる電気抵抗が、記録用紙Ｐのみの場合に比べて高められ、転写電界が搬送経路の下流側へ沿面放電するのを弱められる。これにより、トナーの飛散（陽炎の発生）が抑制又は防止される。
【００５１】
なお、裏面全体に補助用紙Ｈが重ね合わされながら、二次転写位置Ｔ２を通過した記録用紙Ｐは、一対の搬送ロール５２、５４、５６によって定着装置４０へ送られるが、最下流側の搬送ロール５６から定着装置４０へ送られる途中で、その裏面から補助用紙Ｈが剥離される。
【００５２】
すなわち、一対の搬送ロール５６のうち、下側（記録用紙Ｐの裏面側）に配置された搬送ロール５６Ａに、補助用紙Ｈが接触すると、予め決められたタイミングで、その搬送ロール５６Ａが一時的に上側（記録用紙Ｐの表面側）に配置された搬送ロール５６Ｂと同方向に回転する。すると、定着装置４０に向かって移動する記録用紙Ｐに対して、補助用紙Ｈが反対方向へ向かって移動（摺動）することになるため、記録用紙Ｐから補助用紙Ｈがずれて剥離される。
【００５３】
こうして、記録用紙Ｐから剥離された補助用紙Ｈは、搬送ロール５６Ａが元の通りに搬送ロール５６Ｂと逆方向に回転すること及び自重により、ガイド部材６７へ送られ、そのガイド部材６７により回収部７０へ案内されて、その回収部７０に回収される。そして、回収部７０に回収された補助用紙Ｈは、人手により、回収部７０から取り出され、再度格納部６２へ格納される。このように、補助用紙Ｈは、再利用（再供給）可能になっている。
【００５４】
次に、第２実施形態について説明する。なお、上記第１実施形態と同等の部位には同じ符号を付して詳細な説明（共通する作用も含む）は省略する。
【００５５】
図３で示すように、この第２実施形態に係る供給装置６０は、格納部６２から供給した補助用紙Ｈを格納部６２に回収するようになっている。すなわち、この供給装置６０では、格納部６２が、回収された補助用紙Ｈを二次転写位置Ｔ２に到達する以前の記録用紙Ｐに対して再供給可能とする回収部７０を兼用するようになっている。
【００５６】
詳細には、この供給装置６０では、二次転写位置Ｔ２の下流側で、かつ搬送ロール５２の上流側に、一対の搬送ロール５６が配設されており、その搬送ロール５６よりも補助用紙Ｈの搬送方向下流側の搬送経路に、補助用紙Ｈを格納部６２へ案内する複数の一対のガイドロール７２、７４が配設されている。
【００５７】
したがって、格納部６２からピックアップロール６４及び搬送ロール６８によって二次転写位置Ｔ２へ送られ、記録用紙Ｐの裏面に全体的に重ね合わされつつ、その二次転写位置Ｔ２を通過した補助用紙Ｈは、下側（記録用紙Ｐの裏面側）の搬送ロール５６Ａが予め決められたタイミングで上側（記録用紙Ｐの表面側）の搬送ロール５６Ｂと同方向に一時的に回転することにより、記録用紙Ｐの裏面から剥離されて、ガイドロール７２へ送られる。
【００５８】
そして、ガイドロール７２へ送られた補助用紙Ｈは、次のガイドロール７４へ送られ、そのガイドロール７４によって格納部６２へ送られる。つまり、格納部６２から供給された補助用紙Ｈは、格納部６２に回収されるようになっている。したがって、この第２実施形態に係る供給装置６０の場合には、回収された補助用紙Ｈを人手によって出し入れするなどの作業が不要となる利点がある。
【００５９】
以上、本実施形態に係る画像形成装置１０について、図面を基に説明したが、本実施形態に係る画像形成装置１０は、図示のものに限定されるものではなく、種々の変形、変更、改良が可能である。例えば、補助用紙Ｈは、二次転写位置Ｔ２にて（接触部によって）、記録用紙Ｐの裏面に重ね合わされる構成に限定されるものではなく、二次転写位置Ｔ２に到達する際には、既に記録用紙Ｐの裏面全体に重ね合わされている構成にしてもよい。
【００６０】
また、中間転写ベルト２４を介さずに、感光体ドラム１６から直接記録用紙Ｐにトナー像が転写される構成にも、本実施形態に係る供給装置６０を適用可能である。更に、搬送ロール５６Ａは、搬送ロール５６Ｂと同方向に一時的に回転して補助用紙Ｈを記録用紙Ｐから剥離する構成に限定されるものではなく、搬送ロール５６Ｂに対して回転速度が遅くされたり、一時的に停止されたりして（速度差が付与されることによって）、記録用紙Ｐから補助用紙Ｈを剥離する構成にしてもよい。
【符号の説明】
【００６１】
１０  画像形成装置
１６  感光体ドラム（像保持体の一例）
１８  帯電装置
２０  露光装置
２２  現像装置
２４  中間転写ベルト（中間転写体の一例）
３６  二次転写ロール（転写装置の一例）
４２  搬送装置
５６  搬送ロール
６０  供給装置
６２  格納部（回収部の一例）
７０  回収部
Ｈ  補助用紙（補助媒体の一例）
Ｐ  記録用紙（記録媒体の一例）
【図１】
2013195830.tif 000003
【図２】
2013195830.tif 000004
【図３】
2013195830.tif 000005